(57)【特許請求の範囲】
【請求項１】
複数の基本壁材を表示した基本壁材サンプル群と、該基本壁材サンプル群の各基本壁材サンプルに隣接して表示された基本壁材サンプルを特定するための壁材名表示部と、少なくとも１種の添加壁材を表示した添加壁材サンプルと、該添加壁材サンプルに隣接して表示された添加壁材サンプルを特定するための壁材名表示部と、基本壁材と添加壁材とを混合した混合壁材を表示した混合壁材サンプル群と、この混合壁材サンプル群の各混合壁材サンプルに隣接して表示された各混合壁材における基本壁材と添加壁材との混合比を表示した混合比表示部とを有する壁材用混合表と、単位面積の１／ｎの分量の基本壁材又は添加壁材を収納し、かつ該ｎが前記基本壁材と添加壁材との混合比の各値を加算した値である壁材包装体とを用い、基本壁材又は添加壁材が収納された壁材包装体をそれぞれ前記壁材用混合表における混合比表示部の混合比の各値に対応した数だけ用意し、用意された壁材包装体に収納された基本壁材及び添加壁材をすべて混合して混合壁材を調製することを特徴とする壁材の調製方法。
【発明の詳細な説明】
【０００１】
【発明の属する技術分野】
本発明は、多種類の壁材を製造しなくても購入者において多種類の壁材を調製できるようにした壁材の調製方法に関するものである。
【０００２】
【従来の技術】
一般に、壁材は、土、砂、顔料等を混合して製造されており、その混合比を変更することにより、色相、明度等の異なる多種類の壁材を製造している。
【０００３】
従来、このような壁材を販売するには、まず、製造会社において全ての種類の壁材を製造し、それを倉庫に在庫として保管しておく。そして、購入者からの要求により所定の壁材を購入者に提供している。また、購入者が配合色の壁材を選択した際、その配合色の壁材を調製できる原色の壁材の混合比を示した壁材用色見本表が提案されている（実公昭４９−８８２２号公報）。
【０００４】
【発明が解決しようとする課題】
しかしながら、上述したような従来の販売方法においては、購入者からの各種の要求を満たすために、予め全ての種類の壁材を製造しなければならないので、壁材を製造する混合機を、壁材の種類を変更する度に洗浄しなければならず面倒であった。また、製造した多種類の壁材を、購入されるまで長期間倉庫に保管しておかなくてはならず、その保管が面倒であった。
【０００５】
また、予め全ての壁材を製造せず、購入者からの要求があった時に壁材を製造することもできるが、この場合は、多種類の壁材を保管する必要はないが、壁材を製造して購入者に渡すまで時間がかかり、また、洗浄作業をその都度行わなければならなかった。
【０００６】
なお、前記壁材用色見本表は、配合色の壁材を調製する際に好適なものであるが、より細かい配合色の壁材の配合を表示すると、線条が複雑になり見ずらいものであった。また、複数の壁材を所定の割合で組合わせた色彩を表示しているに過ぎないので、購入者の目的とする系統色がどの壁材の組合せにより得られるか分かり難いものであった。
【０００７】
本発明は、以上の問題点を解決し、多種類の壁材を製造・保管することなく、購入者が求める各種壁材を調製できるようにした壁材の調製方法を提供することを目的とする。
【０００８】
【課題を解決するための手段】
本発明による壁材の調製方法は、複数の基本壁材を表示した基本壁材サンプル群と、該基本壁材サンプル群の各基本壁材サンプルに隣接して表示された基本壁材サンプルを特定するための壁材名表示部と、少なくとも１種の添加壁材を表示した添加壁材サンプルと、該添加壁材サンプルに隣接して表示された添加壁材サンプルを特定するための壁材名表示部と、基本壁材と添加壁材とを混合した混合壁材を表示した混合壁材サンプル群と、この混合壁材サンプル群の各混合壁材サンプルに隣接して表示された各混合壁材における基本壁材と添加壁材との混合比を表示した混合比表示部とを有する壁材用混合表と、単位面積の１／ｎの分量の基本壁材又は添加壁材を収納し、かつ該ｎが前記基本壁材と添加壁材との混合比の各値を加算した値である壁材包装体とを用い、基本壁材又は添加壁材が収納された壁材包装体をそれぞれ前記壁材用混合表における混合比表示部の混合比の各値に対応した数だけ用意し、用意された壁材包装体に収納された基本壁材及び添加壁材をすべて混合して混合壁材を調製することを特徴として構成されている。
【００１１】
本発明においては、壁材を購入しようとする者は、混合壁材の混合比にしたがって基本壁材及び添加壁材を購入し、これらを混合することにより所望の壁材を得ることができる。したがって、壁材を提供する製造会社は、基本壁材及び添加壁材のみを製造し、購入者の要求に応じて所定比の基本壁材及び添加壁材を提供するだけでよい。
【００１２】
【発明の実施の形態】
本発明の壁材の調製方法においては、壁材用混合表を用いて販売する。この壁材用混合表の形態は特に限定されず、例えば、カタログの一部に設けたり、独立したパンフレットとしたり、インターネットのホームページに表示したりできる。壁材用混合表で表示する基本壁材サンプル、添加壁材サンプル及び混合壁材サンプルは、壁材用混合表の形態により異なるが、壁材の実物であっても、写真であってもよい。
【００１３】
壁材名表示部は、基本壁材及び添加壁材を特定できるようにするためのもので、特定できれば特にその表現は限定されず、商品名、番号等を用いることができる。
【００１４】
基本壁材と添加壁材とを混合して調製する混合壁材は、例えば、基本壁材の明度を変更したり、基本壁材とは異なる色相に変更したりするものである。基本壁材と添加壁材との混合比は、目的とする混合壁材により決定され、例えば、基本壁材：添加壁材＝１：１、１：２、１：３、３：１、２：１に設定することができる。
【００１５】
壁材の購入者は、目的とする混合壁材の混合比に応じて基本壁材及び添加壁材を購入し、購入者自身で基本壁材と添加壁材とを混合して所望の混合壁材を調製する。例えば、混合比が１：２の場合、基本壁材を１袋、添加壁材を２袋購入し、これらを混合して壁材を調製する。
【００１６】
ところで、壁材は、従来、販売の最小面積を１坪とし、１坪を塗るのに必要な使用量を１袋に収納して壁材包装体として販売していた。したがって、基本壁材と添加壁材とを混合して製造する混合壁材も、最小面積である１坪として販売することが望まれているので、混合比の割合に対応して１袋に収納する壁材の質量を、１坪に必要な使用量の（１／ｎ）にすることが好ましい。例えば、混合比を２等分（１：１）とした場合、１袋に収納する壁材の量を（１坪の使用量／２）とし、混合比を３等分（１：２、２：１）とした場合は、１袋に収納する壁材の量を（１坪の使用量／３）とすることが好ましく、混合比を４等分（１：３、２：２、３：１）とした場合は、１袋に収納する壁材の量を（１坪の使用量／４）とすることが好ましい。
【００１７】
また、壁材包装体は、単位面積の１／ｎの分量の基本壁材又は添加壁材を収納したもので、基本壁材と添加壁材の壁材包装体をｎ袋分混合して単位面積に塗布するものである。基本壁材及び添加壁材は、塗布可能な単位面積の１／ｎの分量として壁材包装体に収納されているが、この塗布可能な単位面積は、上述したように通常１坪であるが、これに限定されるものでなく、より小さい面積としてもよい。単位面積を１坪より小さい面積とすることにより、より狭い面積の壁に対応することができる。
【００１８】
本発明に適用することができる壁材としては、戸建住宅の内壁、外壁、門柱、塀等に用いることができ、また、その構成材料としては、特に限定されるものでなく、例えば、土、砂、珪藻土、ビーズ、木粉、パルプ、顔料等を用いることができる。
【００１９】
壁材中の顔料の粒径は、０．１μｍ以下が好ましい。顔料の粒径を０．１μｍ以下とすることにより、施工現場で基本壁材と添加壁材とを混合して混合壁材を調製した際、混合壁材の色の再現性を得ることができる。顔料の粒径が０．１μｍを超えると、施工現場でのミキサーによる混合攪拌時間によっては、さらに細かく粉砕された顔料が壁材全体に分散し、所望の色が得られないことがある。
【００２０】
本発明における壁材を作製するには、所定量配合された砂、顔料等を高速ミキサー（例えば、攪拌容量１０００リットル）に投入し、１０〜１５ｍ／ｓの周速度で２〜１０分間攪拌混合させる。このような条件で攪拌することにより、顔料の粒径を上記範囲にすることができる。
【００２１】
本発明による壁材の調製方法を図面を参照して説明する。
図１は壁材の調製方法に用いる壁材用混合表の一実施例の模式図である。
【００２２】
図１において、１ａは基本壁材ａを表示する基本壁材サンプル、1ｂは基本壁材ｂを表示する基本壁材サンプル、１ｃは基本壁材ｃを表示する基本壁材サンプルで一列に２回繰り返して並べられており、２Ａは添加壁材Ａを表示する添加壁材サンプル、２Ｂは添加壁材Ｂを表示する添加壁材サンプルであり、図中、左側の部分が、明度の異なる混合壁材の混合比を示しており、右側の部分が、色相の異なる混合壁材の混合比を示している。
【００２３】
この基本壁材サンプル１ａ、１ｂ、１ｃと添加壁材サンプル２Ａとの間には、基本壁材ａと添加壁材Ａとを混合して製造される混合壁材ａＡ１、ａＡ２を表示する混合壁材サンプル３ａＡ１、３ａＡ２が、基本壁材サンプル１ａに対応して配置されている。そして、同様に、混合壁材サンプル３ｂＡ１、３ｂＡ２及び混合壁材サンプル３ｃＡ１、３ｃＡ２が配置されている。また、同様に、基本壁材サンプル１ａ、１ｂ、１ｃと添加壁材サンプル２Ｂとの間にも、混合壁材サンプル３ａＢ１、３ａＢ２、混合壁材サンプル３ｂＢ１、３ｂＢ２及び混合壁材サンプル３ｃＢ１、３ｃＢ２が、それぞれ基本壁材サンプル１ａ、１ｂ、１ｃに対応して配置されている。
【００２４】
また、基本壁材サンプル１ａ、１ｂ、１ｃの下方に隣接して、壁材名を表示した壁材名表示部４ａ、４ｂ、４ｃが設けられるとともに、添加壁材サンプル２Ａ、２Ｂの下方に隣接して、壁材名を表示した壁材名表示部５Ａ、５Ｂが設けられている。また、混合壁材サンプル３ａＡ１、３ａＡ２、３ｂＡ１、３ｂＡ２、３ｃＡ１、３ｃＡ２、３ａＢ１、３ａＢ２、３ｂＢ１、３ｂＢ２、３ｃＢ１、３ｃＢ２の下方に隣接して、基本壁材と添加壁材との混合費を表示した混合比表示部６ａＡ１、６ａＡ２、６ｂＡ１、６ｂＡ２、６ｃＡ１、６ｃＡ２、６ａＢ１、６ａＢ２、６ｂＢ１、６ｂＢ２、６ｃＢ１、６ｃＢ２が設けられている。
【００２５】
前記基本壁材ａ、ｂ、ｃ及び添加壁材Ａ、Ｂの配合を表１に示す。
【００２６】
【表１】
0003711231.tif 000002
【００２７】
なお、質量は、塗り面積１．１ｍ２用（２ｋｇ）における１袋の配合量である。
【００２８】
また、各サンプルの色（大日本インキ化学(株)製「ＤＩＣカラーガイド」）を以下に記載する。
【００２９】
基本壁材サンプル１ａ：Ｎ−９８４、基本壁材サンプル１ｂ：５４９、基本壁材サンプル１ｃ：Ｎ−７５３、添加壁材サンプル２Ａ：５８３、添加壁材サンプル２Ｂ：Ｎ−７９７、混合壁材サンプル３ａＡ１：Ｎ−７８４、混合壁材サンプル３ａＡ２：Ｎ−７８２、混合壁材サンプル３ｂＡ１：６５０、混合壁材サンプル３ｂＡ２：Ｎ−９４６、混合壁材サンプル３ｃＡ１：２９１、混合壁材サンプル３ｃＡ２：４６９、混合壁材サンプル３ａＢ１：３３４、混合壁材サンプル３ａＢ２：３３５、混合壁材サンプル３ｂＢ１：Ｎ−８１２、混合壁材サンプル３ｂＢ２：５６０、混合壁材サンプル３ｃＢ１：３１７、混合壁材サンプル３ｃＢ２：３１６
【００３０】
なお、以上の壁材用混合表においては、混合比表示部を混合壁材サンプルの下方に隣接して配置したが、これに限られるものでなく、混合壁材サンプルに壁材名表示部を設け、この壁材名表示部と混合比表示部とを表にして設けることもできる。
【００３１】
本発明における壁材を作製するには、表１に示した配合割合に基づいて配合した総量５００ｋｇの珪砂、寒水石、ＣＭＣ（カルボキシメチルセルロース）、顔料を高速ミキサー（攪拌容量１０００リットル）に投入し、周速度１２ｍ／ｓにより２〜５分攪拌混合する。攪拌混合後の顔料の大きさは０．０５〜０．１μであり、顔料は壁材全体に分散している。
【００３２】
以上のような壁材用混合表を顧客に提示して販売する。すなわち、顧客は、使用しようとする壁材を壁材用混合表の混合壁材サンプル３ａＡ２……３ｃＢ２の中から捜し、例えば、混合壁材サンプル３ａＡ２の壁材を選択すると、その混合壁材サンプル３ａＡ２に対応する混合比表示部６ａＡ２に規定されている混合比（ａ：Ａ＝１：２）で基本壁材ａと添加壁材Ａとを注文する。
【００３３】
この注文を受け、製造会社は基本壁材ａと添加壁材Ａの包装袋を１：２の割合で提供する。この時、基本壁材ａ、ｂ、ｃ及び添加壁材Ａ、Ｂは、１袋が、（１／３）坪分の量となっているので、購入者が１坪分の壁材を注文したい場合であっても、その要求に応えることができる。すなわち、購入者は、１坪の最小単位で注文できるので、必要以上に注文して無駄にすることがない。
【００３４】
購入者は、受け取った壁材を乾燥状態で混合し、これに樹脂固形分５０重量％のアクリルスチレン共重合体エマルションと水とを、混合壁材２ｋｇに対してそれぞれ５００ｇ添加して水練する。そして、これを鏝塗りして壁を形成する。なお、下地として、外装の場合はセメントモルタルを用い、内装の場合は石膏ボードを用いる。
【００３５】
【発明の効果】
本発明は、以上のように構成することにより、少ない種類の壁材を製造するだけで、多種類の壁材を提供することができる。したがって、多種類の壁材を予め製造し、かつ保存しておく必要がなく、また、顧客の要求に応じて壁材を新たに製造する必要がない。さらに、最小単位の壁材を調製することができるので、必要以上に購入して無駄にすることがない。
【図面の簡単な説明】
【図１】  本発明の壁材の調製方法に用いる壁材用混合表の一実施例の模式図である。
【符号の説明】
１ａ、ｂ、ｃ：基本壁材サンプル
２Ａ、Ｂ：添加壁材サンプル
３ａＡ１……３ｃＢ２：混合壁材サンプル
４ａ、ｂ、ｃ：壁材名表示部
５Ａ、Ｂ：壁材名表示部
６ａＡ１……６ｃＢ２：混合比表示部
【図１】
0003711231.tif 000003